(57)【要約】【課題】  リモコン文字読取姿勢にすることができる拡大鏡を備えていること。【解決手段】  リモコン本体１の両側に左右一対のアーム６が配置され、該各アーム６の基端部に一体突設したガイド軸６ａがリモコン本体１の両側面に前後方向ａ，ｂに沿って形成したガイド溝７にそれぞれスライド可能及び回動可能に嵌入されると共に、その各アーム６の先端部が拡大鏡４に回動可能に連結されており、各ガイド軸６ａを中心に各アーム６を前向きｃに回動させることにより拡大鏡４を収納凹部８から取り出し各ガイド軸６ａを各ガイド溝７に沿ってスライドさせて拡大鏡４を操作部３の上方の所望位置に停止させる。【選択図】        図３
2007134856.tif 000002
【特許請求の範囲】
【請求項１】
リモコン本体の前面に光発信器が設けられると共に、該リモコン本体の上面に操作部が
設けられ、その操作部を操作して前記光発信器から操作信号を発信するように形成され、
前記リモコン本体の後部に拡大鏡が組み込まれたリモコン発信機において、前記拡大鏡の
リモコン本体への組み込みを解除し、該拡大鏡が左右一対のアームを介してリモコン本体
に取り付けられており、前記両アームがリモコン本体の両側に配置され、該各アームの基
端部に一体突設したガイド軸がリモコン本体の両側面に前後方向に沿って形成したガイド
溝にそれぞれスライド可能及び回動可能に嵌入されると共に、その各アームの先端部が拡
大鏡に回動可能に連結され、前記リモコン本体の後部上面に収納凹部が形成されると共に
、該リモコン本体の収納凹部よりも後側に電池収納部が設けられ、該電池収納部及び収納
凹部に嵌脱可能に外嵌する有底筒状鞘が設けられ、前記収納凹部の底面に透視孔が貫設さ
れており、これによって、前記各ガイド軸を中心に各アームを後向きに回動させることに
より前記拡大鏡を収納凹部に収納した状態で鞘をリモコン本体の後部に嵌合させて該鞘で
拡大鏡を被い、前記鞘を後方に移動させて収納凹部内の拡大鏡を外部に露出させ該拡大鏡
により透視孔を通って目視し、前記鞘をさらに後方に移動させることにより電池収納部を
外部に露出させ、収納凹部を外部に露出させた状態で各ガイド軸を中心に各アームを前向
きに回動させることにより拡大鏡を該収納凹部から取り出し各ガイド軸を各ガイド溝に沿
ってスライドさせて拡大鏡を操作部の上方の所望位置に停止させるようにしたことを特徴
とするリモコン発信機。
【請求項２】
リモコン本体の前面に光発信器が設けられると共に、該リモコン本体の上面に操作部が
設けられており、その操作部を操作して前記光発信器から操作信号を発信するようにした
リモコン発信機において、前記リモコン本体の両側に左右一対のアームが配置され、該各
アームの基端部に一体突設したガイド軸がリモコン本体の両側面に前後方向に沿って形成
したガイド溝にそれぞれスライド可能及び回動可能に嵌入されると共に、その各アームの
先端部が拡大鏡に回動可能に連結されており、前記各ガイド軸を中心に各アームを後向き
に回動させることにより前記拡大鏡をリモコン本体の後部上面の収納凹部に収納し、前記
各ガイド軸を中心に各アームを前向きに回動させることにより拡大鏡を収納凹部から取り
出し各ガイド軸を各ガイド溝に沿ってスライドさせて拡大鏡を操作部の上方の所望位置に
停止させ、各ガイド軸をガイド溝に沿って前方にスライドさせ該各ガイド軸を中心に各ア
ームを前向きに回動させることにより前記拡大鏡をリモコン本体よりも前方に突出させる
ようにしたことを特徴とするリモコン発信機。
【請求項３】
前記リモコン本体の収納凹部よりも後側に電池収納部が設けられ、該電池収納部及び収
納凹部に嵌脱可能に外嵌する有底筒状鞘が設けられており、前記拡大鏡を収納凹部に収納
した状態で鞘をリモコン本体の後部に嵌合させて該鞘で拡大鏡を被い、前記鞘を後方に移
動させて収納凹部内の拡大鏡を外部に露出させ、前記鞘をさらに後方に移動させることに
より電池収納部を外部に露出させるようにしたことを特徴とする請求項２に記載のリモコ
ン発信機。
【請求項４】
前記収納凹部の底面に透視孔が貫設されており、前記鞘を後方に移動させて収納凹部内
の拡大鏡を外部に露出させ該拡大鏡により透視孔を通って目視するようにしたことを特徴
とする請求項３に記載のリモコン発信機。
【請求項５】
前記拡大鏡が、凸レンズと該凸レンズの外周縁に嵌合させた枠体とを有し、該枠体の両
側部に円形状連結孔と該連結孔の外周縁から外方に延びるロック溝とが形成され、その連
結孔と同径または若干小径の連結軸が前記各アームの先端部に一体突設され、該各連結軸
の外周面先端にロック溝と同形またはわずかに小さいロック片が一体突設されており、枠
体の各ロック溝付き連結孔と各アームのロック片付き連結軸とを嵌合させ、その枠体と各
アームとを相対的に回動させることにより、ロック片に枠体の内周面を係合させるように
したことを特徴とする請求項２〜４のいずれかに記載のリモコン発信機。
【請求項６】
前記各アームのリモコン本体対向面とリモコン本体の各アーム対向面とにそれぞれ凹凸
状ブレーキ面が形成されており、その両ブレーキ面を互いに接触させて、各アームを所望
の角度で停止させるようにしたことを特徴とする請求項２〜５のいずれかに記載のリモコ
ン発信機。
【請求項７】
前記各ガイド溝の上下面のうちの一方またはその両方とそれに対向する各ガイド軸の外
周面とにそれぞれ凹凸状ブレーキ面が形成されており、その両ブレーキ面を互いに接触さ
せて、各アームを所望の角度で停止させるようにしたことを特徴とする請求項２〜６のい
ずれかに記載のリモコン発信機。
【発明の詳細な説明】
【技術分野】
【０００１】
本発明は、例えばディスク装置（ＤＶＤプレーヤ及びＤＶＤレコーダ）やテレビジョン
受像機などの電子機器を遠隔操作するためのリモコン発信機に関し、特に、リモコン文字
読取姿勢にすることができる拡大鏡を備えたものである。
【背景技術】
【０００２】
従来、リモコン発信機の技術として特許文献１に記載したものがある。これは、図１２
に示すように、リモコン本体１の前面に光発信器２が設けられると共に、該リモコン本体
１の上面に多数の押釦３ａを備えた操作部３が設けられ、その操作部３を操作して光発信
器２からディスク装置（ＤＶＤプレーヤ及びＤＶＤレコーダ）やテレビジョン受像機など
の電子機器に向けて操作信号を発信するように形成されている。
【０００３】
また、前記リモコン本体１の後部に拡大鏡４が組み込まれており、その拡大鏡４を通し
て新聞の番組欄の細かい文字を拡大して読み取るようになっている。
【特許文献１】実開平１−１０８６９１号公報
【発明の開示】
【発明が解決しようとする課題】
【０００４】
上記従来の構成では、拡大鏡４を使う必要のある人にとって、操作部３の各押釦３ａや
その付近に記載してあるリモコン文字も細か過ぎて読み難く、前記拡大鏡４はそれを読む
のに役立たず、不便である。
【０００５】
本発明は、上記従来の欠点に鑑み、リモコン文字読取姿勢にすることができる拡大鏡を
備えたリモコン発信機を提供することを目的としている。
【課題を解決するための手段】
【０００６】
上記目的を達成するため、請求項１に記載の発明は、リモコン本体の前面に光発信器が
設けられると共に、該リモコン本体の上面に操作部が設けられ、その操作部を操作して前
記光発信器から操作信号を発信するように形成され、前記リモコン本体の後部に拡大鏡が
組み込まれたリモコン発信機において、前記拡大鏡のリモコン本体への組み込みを解除し
、該拡大鏡が左右一対のアームを介してリモコン本体に取り付けられており、前記両アー
ムがリモコン本体の両側に配置され、該各アームの基端部に一体突設したガイド軸がリモ
コン本体の両側面に前後方向に沿って形成したガイド溝にそれぞれスライド可能及び回動
可能に嵌入されると共に、その各アームの先端部が拡大鏡に回動可能に連結され、前記リ
モコン本体の後部上面に収納凹部が形成されると共に、該リモコン本体の収納凹部よりも
後側に電池収納部が設けられ、該電池収納部及び収納凹部に嵌脱可能に外嵌する有底筒状
鞘が設けられ、前記収納凹部の底面に透視孔が貫設されており、これによって、前記各ガ
イド軸を中心に各アームを後向きに回動させることにより前記拡大鏡を収納凹部に収納し
た状態で鞘をリモコン本体の後部に嵌合させて該鞘で拡大鏡を被い、前記鞘を後方に移動
させて収納凹部内の拡大鏡を外部に露出させ該拡大鏡により透視孔を通って目視し、前記
鞘をさらに後方に移動させることにより電池収納部を外部に露出させ、収納凹部を外部に
露出させた状態で各ガイド軸を中心に各アームを前向きに回動させることにより拡大鏡を
該収納凹部から取り出し各ガイド軸を各ガイド溝に沿ってスライドさせて拡大鏡を操作部
の上方の所望位置に停止させるようにしたことを特徴としている。
【０００７】
請求項２に記載の発明は、リモコン本体の前面に光発信器が設けられると共に、該リモ
コン本体の上面に操作部が設けられており、その操作部を操作して前記光発信器から操作
信号を発信するようにしたリモコン発信機において、前記リモコン本体の両側に左右一対
のアームが配置され、該各アームの基端部に一体突設したガイド軸がリモコン本体の両側
面に前後方向に沿って形成したガイド溝にそれぞれスライド可能及び回動可能に嵌入され
ると共に、その各アームの先端部が拡大鏡に回動可能に連結されており、前記各ガイド軸
を中心に各アームを後向きに回動させることにより前記拡大鏡をリモコン本体の後部上面
の収納凹部に収納し、前記各ガイド軸を中心に各アームを前向きに回動させることにより
拡大鏡を収納凹部から取り出し各ガイド軸を各ガイド溝に沿ってスライドさせて拡大鏡を
操作部の上方の所望位置に停止させ、各ガイド軸をガイド溝に沿って前方にスライドさせ
該各ガイド軸を中心に各アームを前向きに回動させることにより前記拡大鏡をリモコン本
体よりも前方に突出させるようにしたことを特徴としている。
【０００８】
請求項３に記載の発明は、請求項２に記載の発明において、前記リモコン本体の収納凹
部よりも後側に電池収納部が設けられ、該電池収納部及び収納凹部に嵌脱可能に外嵌する
有底筒状鞘が設けられており、前記拡大鏡を収納凹部に収納した状態で鞘をリモコン本体
の後部に嵌合させて該鞘で拡大鏡を被い、前記鞘を後方に移動させて収納凹部内の拡大鏡
を外部に露出させ、前記鞘をさらに後方に移動させることにより電池収納部を外部に露出
させるようにしたことを特徴としている。
【０００９】
請求項４に記載の発明は、請求項３に記載の発明において、前記収納凹部の底面に透視
孔が貫設されており、前記鞘を後方に移動させて収納凹部内の拡大鏡を外部に露出させ該
拡大鏡により透視孔を通って目視するようにしたことを特徴としている。
【００１０】
請求項５に記載の発明は、請求項２〜４のいずれかに記載の発明において、前記拡大鏡
が、凸レンズと該凸レンズの外周縁に嵌合させた枠体とを有し、該枠体の両側部に円形状
連結孔と該連結孔の外周縁から外方に延びるロック溝とが形成され、その連結孔と同径ま
たは若干小径の連結軸が前記各アームの先端部に一体突設され、該各連結軸の外周面先端
にロック溝と同形またはわずかに小さいロック片が一体突設されており、枠体の各ロック
溝付き連結孔と各アームのロック片付き連結軸とを嵌合させ、その枠体と各アームとを相
対的に回動させることにより、ロック片に枠体の内周面を係合させるようにしたことを特
徴としている。
【００１１】
請求項６に記載の発明は、請求項２〜５のいずれかに記載の発明において、前記各アー
ムのリモコン本体対向面とリモコン本体の各アーム対向面とにそれぞれ凹凸状ブレーキ面
が形成されており、その両ブレーキ面を互いに接触させて、各アームを所望の角度で停止
させるようにしたことを特徴としている。
【００１２】
請求項７に記載の発明は、請求項２〜６のいずれかに記載の発明において、前記各ガイ
ド溝の上下面のうちの一方またはその両方とそれに対向する各ガイド軸の外周面とにそれ
ぞれ凹凸状ブレーキ面が形成されており、その両ブレーキ面を互いに接触させて、各アー
ムを所望の角度で停止させるようにしたことを特徴としている。
【発明の効果】
【００１３】
請求項１に記載の発明は第２の実施の形態（図８〜図１１参照）に対応するものであっ
て、これによれば、拡大鏡が両アーム、ガイド軸及びガイド溝を介してリモコン本体に前
後移動可能に支持されているから、その拡大鏡をリモコン本体の収納凹部に収納する収納
姿勢にした状態で、鞘をリモコン本体の後部に嵌合させて、該鞘で拡大鏡を被うことによ
り、外観上の体裁を良好に保持することができると共に、拡大鏡に傷や埃がつかないよう
に保護することができ、しかも、鞘を後方に移動させて収納凹部内の拡大鏡を外部に露出
させるだけで、該収納凹部の底面に貫設した透視孔を通して、その拡大鏡を新聞文字読取
姿勢にすることができ、更に、収納凹部内の拡大鏡を外部に露出させた状態から両アーム
を前向きに回動させると共に、各ガイド軸をガイド溝に沿ってスライドさせるだけで、拡
大鏡をリモコン文字読取姿勢にすることができ、特に、そのリモコン文字読取姿勢では、
リモコン本体の操作部に記載してある細かいリモコン文字も拡大して容易に読み取ること
ができ、使い勝手がよい。また更に、前記鞘をリモコン本体から離脱させることにより、
該リモコン本体の後部に設けた電池収納部に対する電池交換も容易に行うことができる。
【００１４】
請求項２に記載の発明は基本形態に対応するものであって、これによれば、拡大鏡が両
アーム、ガイド軸及びガイド溝を介してリモコン本体に前後移動可能に支持されているの
で、その拡大鏡を、リモコン本体の収納凹部に収納する収納姿勢と、リモコン本体の操作
部の上方に位置するリモコン文字読取姿勢と、リモコン本体よりも前方に位置する新聞文
字読取姿勢の３つの姿勢にすることができ、特に、拡大鏡を新聞文字読取姿勢にして新聞
の番組欄の細かい文字を拡大して読み取ることができることは勿論のこと、その拡大鏡を
リモコン文字読取姿勢にして操作部に記載してある細かいリモコン文字も拡大して容易に
読み取ることができ、使い勝手がよい。
【００１５】
請求項３に記載の発明によれば、鞘をリモコン本体の後部に嵌合させて、該鞘で収納凹
部に収納している拡大鏡を被うことにより、外観上の体裁を良好に保持することができる
と共に、拡大鏡に傷や埃がつかないように保護することができ、しかも、鞘を後方に移動
させることにより、収納凹部内の拡大鏡を取り出したり、電池交換を容易に行うことがで
きる。
請求項４に記載の発明によれば、鞘を後方に移動させて収納凹部内の拡大鏡を外部に露出
させるだけで、該収納凹部の底面に貫設した透視孔を通して、その拡大鏡を新聞文字読取
姿勢にすることができる。
【００１６】
請求項５に記載の発明によれば、拡大鏡側枠体の各ロック溝付き連結孔と各アームのロ
ック片付き連結軸とを嵌合させ、その枠体と各アームとを相対的に回動させるだけで、ロ
ック片に枠体の内周面を係合させて、各アームを拡大鏡に回動可能に確実に連結すると共
に、各ガイド軸が各ガイド溝から不測に外れないようにすることができる。
【００１７】
請求項６に記載の発明よれば、各アームのブレーキ面とリモコン本体のブレーキ面とを
互いに接触させることにより、所望の新聞文字読取姿勢とリモコン文字読取姿勢とにした
拡大鏡を不測に動かないように確実に保持することができる。
【００１８】
請求項７に記載の発明によれば、各ガイド溝のブレーキ面と各ガイド軸のブレーキ面と
を互いに接触させることにより、各アームを介して拡大鏡の新聞文字読取姿勢とリモコン
文字読取姿勢とを一層確実に保持することができる。
【発明を実施するための最良の形態】
【００１９】
図１〜図５は本発明の第１の実施の形態であるリモコン発信機を示すものであって、図
１は拡大鏡４の収納姿勢を示し、図２は拡大鏡４の新聞読取姿勢を示し、図３は拡大鏡４
のリモコン文字読取姿勢を示しており、リモコン本体１の両側に左右一対のアーム６が配
置され、該各アーム６の基端部から直角方向に一体突設したガイド軸６ａがリモコン本体
１の両側面に前後方向ａ，ｂに沿って形成したガイド溝７に嵌入され、該各ガイド軸６ａ
がガイド溝７に沿って前後方向ａ，ｂにスライド可能でそのガイド軸６ａ回りで前後方向
ｃ，ｄに回動可能に形成され、前記各アーム６の先端部が拡大鏡４に回動可能に連結され
、リモコン本体１の後部上面に収納凹部８が形成されると共に、該リモコン本体１の収納
凹部８よりも後側に電池Ｅを収納する電池収納部９が設けられている。上記以外の構成で
図１２に示す構成と同じ部分に同一符号を付してその説明を省略する。
【００２０】
前記拡大鏡４は、図４及び図５に示すように、凸レンズＬと平面視略ロ字形で横断面略
コ字形の一つ割り状枠体１０とを有し、該枠体１０の切れ目１０ａを広げてその枠体１０
を凸レンズＬの外周縁に嵌合させており、前記枠体１０の両側部に円形状連結孔１１と該
連結孔１１の外周縁から外方に延びる１つまたは２つ以上（この実施の形態では２つ）の
ロック溝１１ａとが形成され、その連結孔１１と同径または若干小径の連結軸６ｂが前記
各アーム６の先端部から直角方向に一体突設され、該各連結軸６ｂの外周面先端にロック
溝１１ａと同形またはわずかに小さいロック片１２が一体突設されており、図５に仮想線
で示すように、枠体１０を起立させた状態で該枠体１０の各ロック溝１１ａ付き連結孔１
１と各アーム６のロック片１２付き連結軸６ｂとを互いに嵌合させ、その枠体１０と各ア
ーム６とを相対的に回動させることにより、ロック片１２に枠体１０の内周面を係合させ
ており〔図４（ａ）参照〕、これによって、各アーム６を拡大鏡４に回動可能に確実に連
結すると共に、各ガイド軸６ａが各ガイド溝７から不測に外れないようにすることができ
る。
【００２１】
拡大鏡４を収納姿勢にする場合には、図１に示すように、各ガイド軸６ａを各ガイド溝
７の後端まで後方ｂにスライドさせ、該各ガイド軸６ａを中心に各アーム６を後向きｄに
回動させることにより、拡大鏡４を収納凹部８内に収納すればよい。
【００２２】
拡大鏡４を新聞読取姿勢にする場合には、図２に示すように、各ガイド軸６ａを各ガイ
ド溝７の前端まで前方ａにスライドさせ、該各ガイド軸６ａを中心に各アーム６を前向き
ｃに回動させることにより、拡大鏡４をリモコン本体１よりも前方に位置させればよい。
【００２３】
拡大鏡４をリモコン文字読取姿勢にする場合には、図３に示すように、拡大鏡４を収納
凹部８に収納している状態（図１参照）から、図３に示すように、各ガイド軸６ａを中心
に各アーム６を前向きｃに回動させ、各ガイド軸６ａを各ガイド溝７に沿って前後方向ａ
，ｂにスライドさせて拡大鏡４を操作部３の上方の所望位置に停止させればよい。
【００２４】
上記構成によれば、拡大鏡４が両アーム６、ガイド軸６ａ及びガイド溝７を介してリモ
コン本体１に前後移動ａ〜ｄ可能に支持されているので、その拡大鏡４を、リモコン本体
１の収納凹部８に収納する収納姿勢（図１参照）と、リモコン本体１の操作部３の上方に
位置するリモコン文字読取姿勢（図３参照）と、リモコン本体１よりも前方に位置する新
聞文字読取姿勢（図２参照）との３つの姿勢にすることができ、特に、拡大鏡４を新聞文
字読取姿勢（図２参照）にして新聞の番組欄の細かい文字を拡大して読み取ることができ
ることは勿論のこと、その拡大鏡４をリモコン文字読取姿勢（図３参照）にして操作部３
に記載してある細かいリモコン文字も拡大して容易に読み取ることができ、使い勝手がよ
い。
【００２５】
図６に示すように、各アーム６のリモコン本体対向面とリモコン本体１の各アーム対向
面とにそれぞれシボ加工により凹凸状ブレーキ面１３，１４が形成されていることが好ま
しい。これによって、両ブレーキ面１３，１４を互いに接触させて、各アーム６を所望の
角度で停止させ、新聞文字読取姿勢（図２参照）とリモコン文字読取姿勢（図３参照）と
にした拡大鏡４を不測に動かないように確実に保持することができる。
【００２６】
図７に示すように、各ガイド溝７の上下面のうちの一方またはその両方（この実施の形
態では上面のみ）とそれに対向する各ガイド軸６ａの外周面とにそれぞれシボ加工により
凹凸状ブレーキ面１５，１６が形成されていることが好ましい。これによって、両ブレー
キ面１５，１６を互いに接触させて、各アーム６を所望の角度で停止させ、新聞文字読取
姿勢（図２参照）とリモコン文字読取姿勢（図３参照）とにした拡大鏡４を不測に動かな
いように一層確実に保持することができる。
【００２７】
図８〜図１１は本発明の第２の実施の形態であるリモコン発信機を示すものであって、
図８は拡大鏡４の収納姿勢を示し、図９は拡大鏡４の新聞読取姿勢を示し、図１１は拡大
鏡４のリモコン文字読取姿勢を示しており、電池収納部９及び収納凹部８に嵌脱可能に外
嵌する有底筒状鞘１８が設けられ、リモコン本体１の両側面下部に突条部１９を一体突設
し、該両突条部１９間の横幅ｔ１を鞘１８の横幅ｔ２とをほぼ同一に設定すると共に、リ
モコン本体１の高さｈ１と鞘１８の高さｈ２とをほぼ同一に設定することにより、リモコ
ン本体１の外周面と鞘１８の外周面とがほぼ面一状になるように形成され、図１０に示す
ように、収納凹部８の底面に拡大鏡４よりも一回り小さい透視孔２０が貫設され、電池収
納部９の上面が開放されている。上記以外の構成は図１〜７に示す構成とほぼ同じである
から、同一部分に同一符号を付してその説明を省略する。
【００２８】
拡大鏡４を収納姿勢にする場合には、図８に示すように、各ガイド軸６ａを中心に各ア
ーム６を後向きｄに回動させることにより拡大鏡４を収納凹部８に収納した状態で鞘１８
をリモコン本体１の後部に嵌合させて該鞘１８で拡大鏡４を被えばよい。
【００２９】
拡大鏡４を新聞読取姿勢にする場合には、図９及び図１０に示すように、鞘１８を後方
ｂに移動させて収納凹部８内の拡大鏡４を外部に露出させ、該拡大鏡４により透視孔２０
を通って目視すればよい。また、電池Ｅを交換する場合には、図１０に仮想線で示すよう
に、前記鞘１８をさらに後方ｂに移動させることにより、電池収納部９を外部に露出させ
ればよい。
【００３０】
拡大鏡４をリモコン文字読取姿勢にする場合には、図１０に仮想線で示すように、収納
凹部８を外部に露出させた状態で各ガイド軸６ａを中心に各アーム６を前向きｃに回動さ
せることにより，拡大鏡４を該収納凹部８から取り出し、図１１に示すように、各ガイド
軸６ａを各ガイド溝７に沿って前方ａにスライドさせて拡大鏡４を操作部３の上方の所望
位置に停止させればよい。
【００３１】
上記構成によれば、図８に示すように、鞘１８をリモコン本体１の後部に嵌合させて、
該鞘１８で収納凹部８に収納している拡大鏡４を被うことにより、外観上の体裁を良好に
保持することができると共に、拡大鏡４に傷や埃がつかないように保護することができ、
しかも、前記鞘１８を後方に移動させることにより、収納凹部８内の拡大鏡４を取り出し
たり、電池Ｅの交換を容易に行うことができる。
【００３２】
また、図９及び図１０に示すように、鞘１８を後方ｂに移動させて収納凹部８内の拡大
鏡４を外部に露出させるだけで、該収納凹部８の底面に貫設した透視孔２０を通して、そ
の拡大鏡４を新聞文字読取姿勢にすることができる。
【図面の簡単な説明】
【００３３】
【図１】（ａ）は本発明の第１の実施の形態であるリモコン発信機における拡大鏡収納姿勢の斜視図、（ｂ）は同平面図、（ｃ）同側面図、（ｄ）は同正面図である。
【図２】（ａ）は同新聞文字読取姿勢の斜視図、（ｂ）は同平面図である。
【図３】（ａ）は同リモコン文字読取姿勢の斜視図、（ｂ）は同側面図である。
【図４】（ａ）は図３のＡ−Ａ矢視図、（ｂ）はＢ−Ｂ矢視図である。
【図５】同拡大鏡付近の分解斜視図である。
【図６】（ａ）は同要部の変形の一例を示す拡大横断面図、（ｂ）はＣ−Ｃ矢視図である。
【図７】（ａ）は同要部の変形の他の例を示す拡大縦断面図である。
【図８】（ａ）は本発明の第２の実施の形態であるリモコン発信機における拡大鏡収納姿勢の斜視図、（ｂ）は同平面図、（ｃ）同側面図、（ｄ）は同正面図である。
【図９】（ａ）は同新聞文字読取姿勢の斜視図、（ｂ）は同平面図である。
【図１０】（ａ）は同新聞文字読取姿勢における一部切欠き側面図、（ｂ）はＤ−Ｄ矢視図である。
【図１１】（ａ）は同リモコン文字読取姿勢の斜視図、（ｂ）は同一部切欠き側面図である。
【図１２】従来例を示す斜視図である。
【符号の説明】
【００３４】
１            リモコン本体
２            光発信器
３            操作部
４            拡大鏡
６            アーム
６ａ          ガイド軸
６ｂ          連結軸
７            ガイド溝
８            収納凹部
９            電池収納部
１０          枠体
１１          連結孔
１１ａ        ロック溝
１２          ロック片
１３，１４    ブレーキ面
１４，１５    ブレーキ面
１８          鞘
２０          透視孔
ａ，ｂ        前後方向
【図１】
2007134856.tif 000003
【図２】
2007134856.tif 000004
【図３】
2007134856.tif 000005
【図４】
2007134856.tif 000006
【図５】
2007134856.tif 000007
【図６】
2007134856.tif 000008
【図７】
2007134856.tif 000009
【図８】
2007134856.tif 000010
【図９】
2007134856.tif 000011
【図１０】
2007134856.tif 000012
【図１１】
2007134856.tif 000013
【図１２】
2007134856.tif 000014